(57)【特許請求の範囲】
【請求項１】
筐体内に弾性的に吊支した外槽と、回転中心軸を鉛直方向に有し前記外槽内に回転自在に支持した内槽と、前記内槽の内底部に回転自在に設けた回転翼と、前記内槽または回転翼を駆動する駆動手段と、前記内槽内に循環風を送風する送風手段と、前記送風手段により送風される空気を加熱する加熱手段と、前記送風手段による送風中のほこり、糸くずなどを回収するフィルターと、前記駆動手段、送風手段、加熱手段などの動作を制御し洗い、すすぎ、脱水、乾燥などの一連の行程を制御する制御手段とを備え、前記制御手段は、乾燥行程終了後に前記送風手段を駆動させる送風行程を行い、この送風行程にて、前記内槽を所定時間一定速度で回転させる運転と前記回転翼の回転を所定時間内にオンオフを繰り返す運転とを交互に繰り返すとともに前記内槽の回転時間を前記回転翼の回転時間より長くし、発生したほこり、糸くずなどを前記フィルターで回収するようにした洗濯乾燥機。
【発明の詳細な説明】
【０００１】
【発明の属する技術分野】
本発明は、回転中心軸を鉛直方向に有する内槽内に温風を送風して衣類を乾燥させる行程を有し、洗濯から乾燥までを一貫して実施できる洗濯乾燥機に関するものである。
【０００２】
【従来の技術】
従来、この種の洗濯乾燥機は図４に示すように構成していた。以下、その構成について説明する。
【０００３】
図４に示すように、筐体１は、内部に複数のサスペンション２によって弾性的に吊り下げた外槽３を設け、脱水時の振動をサスペンション２によって吸収する構成としている。外槽３の内部には、回転中心軸を鉛直方向に有し、洗濯および乾燥対象物（以下、衣類という）を収容する内槽４を中空で２重構造とした洗濯・脱水軸５を中心に回転可能に配設し、内槽４の内底部に衣類を撹拌する回転翼６を回転自在に配設している。また、内槽４の内部周壁には小孔（図示せず）を多数設けるとともに、上方には流体バランサ７を設けている。
【０００４】
モータ８は、外槽３の底部に取り付け、洗濯または脱水時に回転力の伝達を洗濯・脱水軸５に切り換えるクラッチ９と洗濯・脱水軸５を介して、内槽４または回転翼６に連結している。回転翼６は外周部に外周方向に高くなる傾斜面１０を有する略鍋型の形状をし、撹拌用突出山部１１を形成して、乾燥行程においては、乾燥対象物を回転翼６の反転駆動時の回転による遠心力で傾斜面１０に沿って上方へと舞い上がりやすくしている。
【０００５】
乾燥用送風機１２は、ヒータ１３により加熱された温風を伸縮自在の上部蛇腹状ホース１４を通して温風噴出口１５より内槽４内に送風するもので、筐体１の略上方に設けている。循環ダクト１６は、湿った温風の除湿を行うもので、一端を外槽２の排水経路口１７に接続した下部蛇腹状ホース１８に接続し、他端を乾燥用送風機１２に接続している。
【０００６】
排水弁１９は、外槽２の底部に固定し、下部蛇腹状ホース１８と循環ダクト１６からの排水を、排水ダクト２０を通して排水弁１９に導き、排水ホース２１から機外へ排出するように構成している。外槽カバー２２は外槽３の上面を気密的に覆うもので、この外槽カバー２２に中蓋２３を開閉自在に設け、衣類の出し入れを行うようにしている。冷却用送風機２４は筐体１の内部に外部から冷却風を導入するもので、筐体１の側壁に設けている。乾燥用送風機１２の上流側には送風中のほこりを回収するフィルター２５を着脱可能に配設している。
【０００７】
制御装置２６は、マイクロコンピュータなどを具備し、モータ８、乾燥用送風機１２、ヒータ１３、排水弁１９、冷却用送風機２４などの動作を制御し、洗い、すすぎ、脱水、乾燥などの一連の行程を制御し、乾燥行程につづいて、乾燥用送風機１２と冷却用送風機２４を駆動させる送風行程を行うよう構成している。
【０００８】
上記構成において図５を参照しながら動作を説明する。洗い行程では、中蓋２３を開けて、内槽４内に衣類と洗剤を投入し、運転を開始すると給水弁（図示せず）を開いて所定の水位まで給水した後、モータ８を駆動する。このとき、伝達機構部のクラッチ９を洗濯側に設定して、モータ８の動力を洗濯軸を介して回転翼６に伝達し、回転翼６を回転することで、衣類が回転翼６の撹拌用突出山部１１に引っかかり回転し、内槽４の上部の衣類まで回転伝達され、そのとき、衣類同士、または内槽４、回転翼６との接触によるこすれにより洗濯する。
【０００９】
脱水行程では、洗い行程終了後、排水弁１９を開いて内槽４内の水を排水した後、伝達機構部のクラッチ９を脱水側に切り換えて、モータ８の動力を脱水軸を介し内槽４に伝達して回転させ、衣類に遠心力を与えることにより、水分を衣類から分離することで行う。
【００１０】
乾燥行程では、排水弁１９を開くとともに、伝達機構部のクラッチ９を洗濯側に設定して、モータ８の動力を洗濯軸を介して回転翼６に伝達して、図５に示すように、回転翼６を回転させ、衣類をはね飛ばすようにする。すると回転翼６の傾斜面１０で衣類を上方へはね上げようとする力が働き（遠心力の分力）、衣類が撹拌される。
【００１１】
この撹拌を繰り返しながら乾燥用送風機１２による送風とヒータ１３による加熱により、上部蛇腹状ホース１４を通して内槽４内へ温風を送り込む。この温風は、衣類の水分を奪った後、内槽４から外槽３の内側へ出た後、下部蛇腹状ホース１８を通過して、循環ダクト１６へ至る。ここで、乾燥用送風機１２の回転数は５０００ｒ／ｍｉｎである。
【００１２】
衣類の水分を奪って湿気を含んだ温風が、外槽３の内壁や循環ダクト１６内を通過しているとき、筐体１の側面に設置した冷却送風機２４による外部空気の流入で、外槽３や循環ダクト１６の外壁は冷却されることになり、その内部では、水分の結露が起こり、湿っ
た温風は除湿されて乾燥用送風機１２へ戻る。この循環路で温風を循環させることにより、内槽４内の衣類を乾燥することができる。
【００１３】
制御装置２６は、乾燥検知手段（図示せず）からの出力により、衣類が乾燥したことを検知し、必要に応じて設定した遅延時間が経過して乾燥行程を終了すると、ヒータ１３をオフして送風行程を行い、衣類と機体が所定の温度にまで冷却された状態で運転を終了する。
【００１４】
乾燥行程に入り、衣類が乾燥をはじめると、衣類の素材などにより乾燥むらが生じ始める。乾燥むらを抑えて乾燥に要する時間を短縮するために、回転翼６を０．４秒オン、１．２秒オフの繰り返しで、正逆方向に往復回転させる。
【００１５】
また、乾燥行程終了直後の衣類は、高温でやけどの恐れがあるため、乾燥用送風機１２と冷却送風機２４の運転により冷却する必要がある。このときも衣類内の温度むらや乾きむらを抑え、冷却を促進するために、回転翼６を０．４秒オン、１．２秒オフの繰り返しで、正逆方向に往復回転させる。
【００１６】
衣類が乾燥すると、回転する回転翼６との摩擦により、衣類の表面からほこり、糸くずが発生して浮遊し、乾燥用送風機１２により発生する循環風に運ばれて、フィルター２５に回収される。使用者は運転終了後にフィルター２５を外し、ほこりを機外へ排出できる。
【００１７】
【発明が解決しようとする課題】
このような従来の洗濯乾燥機では、乾燥行程中に内槽４内の衣類表面から発生したほこり、糸くずが多量の場合、内槽４の外面や外槽３内面の内、循環風のよどむ箇所や静電気が発生する箇所に、循環風に運ばれることなく付着したまま運転を終了し、つぎの洗濯時に、ほこり、糸くずが給水とともに水に浮かんで内槽４内へ逆入し、衣類に再付着してしまうという問題を有していた。特に、乾燥後の綿素材等の衣類は繊維の表面が傷つきやすく、摩擦によりほこり、糸くずが発生しやすい。
【００１８】
本発明は上記従来の課題を解決するもので、送風行程でのほこり、糸くずなどの発生を少なくするとともに、内槽の外面や外槽の内面へ付着したほこり、糸くずなどをより多く循環風に乗せてフィルターにて回収できるようにし、つぎの洗濯時に衣類に再付着するのを防ぐことを目的としている。
【００１９】
【課題を解決するための手段】
本発明は上記目的を達成するために、筐体内に弾性的に吊支した外槽内に、回転中心軸を鉛直方向に有する内槽を回転自在に支持し、内槽の内底部に回転翼を回転自在に設け、内槽または回転翼を駆動手段により駆動し、加熱手段により加熱した循環風を送風手段により内槽内に送風し、送風手段による送風中のほこり、糸くずなどをフィルターにより回収し、制御手段により洗い、すすぎ、脱水、乾燥などの一連の行程を制御するよう構成し、制御手段は、乾燥行程終了後に送風手段を駆動させる送風行程を行い、この送風行程にて、内槽を所定時間一定速度で回転させる運転と回転翼の回転を所定時間内にオンオフを繰り返す運転とを交互に繰り返すとともに内槽の回転時間を回転翼の回転時間より長くし、発生したほこり、糸くずなどをフィルターで回収するようにしたものである。
【００２０】
これにより、送風行程でのほこり、糸くずなどの発生を少なくできるとともに、内槽の回転によって、内槽の外面や外槽の内面へ付着したほこり、糸くずなどをより多く循環風に乗せてフィルターにて回収することができ、つぎの洗濯時に衣類に再付着するのを防ぐことができる。
【００２１】
【発明の実施の形態】
本発明の請求項１に記載の発明は、筐体内に弾性的に吊支した外槽と、回転中心軸を鉛直方向に有し前記外槽内に回転自在に支持した内槽と、前記内槽の内底部に回転自在に設けた回転翼と、前記内槽または回転翼を駆動する駆動手段と、前記内槽内に循環風を送風する送風手段と、前記送風手段により送風される空気を加熱する加熱手段と、前記送風手段による送風中のほこり、糸くずなどを回収するフィルターと、前記駆動手段、送風手段、加熱手段などの動作を制御し洗い、すすぎ、脱水、乾燥などの一連の行程を制御する制御手段とを備え、前記制御手段は、乾燥行程終了後に前記送風手段を駆動させる送風行程を行い、この送風行程にて、前記内槽を所定時間一定速度で回転させる運転と前記回転翼の回転を所定時間内にオンオフを繰り返す運転とを交互に繰り返すとともに前記内槽の回転時間を前記回転翼の回転時間より長くし、発生したほこり、糸くずなどを前記フィルターで回収するようにしたものであり、送風行程にて、内槽を繰り返し回転させることで、回転翼の回転時間が短くなって送風行程でのほこり、糸くずなどの発生を少なくできるとともに、衣類が乾燥した後に、回転翼の回転による摩擦で発生し、内槽の外面および外槽の内面に付着したほこり、糸くずを、送風手段による送風に加えて、内槽の回転により発生した風で循環風中に乗せることができるので、より多くのほこりをフィルターに回収することができ、つぎの洗濯時にほこり、糸くずが衣類に再付着するのを防ぐことができる。
【００２２】
また、回転翼の回転時間を最低限に抑えて内槽の回転時間を長くすることで、内槽の外面および外槽の内面に付着したほこり、糸くずを最大限フィルターに回収でき、つぎの洗濯時にほこり、糸くずが衣類に再付着するのを防ぐことができる。
【００２３】
【実施例】
以下、本発明の一実施例について、図面を参照しながら説明する。なお、従来例と同じ構成のものは同一符号を付して説明を省略する。
【００２４】
図１に示すように、制御装置２７は、使用者が設定した内容に基づき、洗い、すすぎ、脱水の各行程を有する洗濯行程と、洗濯行程につづく乾燥行程および送風行程とを制御するとともに、外槽３の内面下部に設けた温度検知手段２８と乾燥用送風機（送風手段）１２の上流側に設けた温度検知手段２９との出力を入力し、これらの温度変化から衣類の乾燥を検知している。
【００２５】
制御手段３０は、マイクロコンピュータなどで構成し、水位検知手段３１、温度検知手段２８、２９の出力を入力し、入力設定手段３２によって設定された内容に基づいて、表示手段３３に設定内容を表示するとともに、双方向サイリスタ、リレーなどで構成した負荷駆動手段３４を介して、モータ（駆動手段）８、クラッチ９、乾燥用送風機１２、ヒータ（加熱手段）１３、排水弁１９、冷却用送風機２４、給水弁３５などの動作を制御して、洗い、すすぎ、脱水、乾燥などの一連の行程を制御し、乾燥行程につづいて、乾燥用送風機１２と冷却用送風機２４を駆動させる送風行程を行うよう構成している。
【００２６】
乾燥用送風機１２は直流モータとファンからなり、制御手段３０からの出力により、直流モータの回転数を制御して供給できる風量を変化できるよう構成している。また、制御手段３０は、乾燥行程終了後に行う送風行程にて、内槽４の回転と回転翼６の回転とを交互に繰り返すようにしている。
【００２７】
上記構成において図３を参照しながら動作を説明する。なお、洗い行程から乾燥行程までの基本的な動作は従来例と同じであるので説明を省略する。
【００２８】
乾燥行程に入り、温度検知手段２８と温度検知手段２９との出力より衣類の乾燥を検知するまでは、回転翼６を往復回転させながら、ヒータ１３と乾燥用送風機１２の運転による温風で衣類を乾燥させる。乾燥検知後は、必要に応じて所定の遅延時間後に送風行程に入り、内槽４を所定時間（たとえば、８分間）一定速度で回転させる運転と、回転翼６を所定時間（たとえば、３分間）内に短時間（たとえば、０．４秒オン、１．２秒オフ）の往復回転させる運転を交互に繰り返す。
【００２９】
内槽４の回転中は、内槽４の回転により内槽４と外槽３の間で周方向に風が起こり、内槽４外面や外槽３内面のうち、循環風がよどむ箇所や静電気が発生する箇所に、循環風に運ばれることなく付着していたほこり、糸くずを風に乗せることができ、風に乗ったほこり、糸くずは循環風とともに循環ダクト１６へ導かれ、フィルター２５に回収される。また、内槽４の回転中は、衣類よりほこり、糸くずが発生することはない。
【００３０】
乾燥用送風機１２の直流モータの回転数は、乾燥行程では５０００ｒ／ｍｉｎで、送風行程では６０００ｒ／ｍｉｎとし、送風行程の回転数を高く設定しており、送風行程での風量を増している。乾燥行程での風量は、乾燥性能と機体から発生する騒音の値とが両立できる風量に設定してあり、送風行程での風量増により騒音の値は増加するが、乾燥行程の時間に対して送風行程の時間は限られた短い時間であるため支障はない。風量を増すことにより、より多くのほこり、糸くずをフィルター２５に回収することができる。
【００３１】
また、送風行程を内槽４の回転時に終了することにより、内槽４の外面および外槽３の内面に付着したほこり、糸くずを循環風中に乗せてフィルター２５に回収した状態で送風行程を終了することができ、つぎの洗濯時にほこり、糸くずが衣類に再付着するのを防ぐことができる。
【００３２】
このように本実施例によれば、制御手段３０は、乾燥行程終了後の送風行程にて、内槽４の回転と回転翼６の回転とを交互に繰り返し、発生したほこり、糸くずなどをフィルター２５で回収するようにしたので、回転翼６の往復回転中に乾いた衣類の表面と回転翼６との摩擦で生じたほこり、糸くずが内槽４外面や外槽３内面に付着して堆積することがなく、たとえ堆積しても、乾燥用送風機１２による送風に加えて、内槽４の回転により発生する風により、内槽４外面や外槽３内面に付着していたほこり、糸くずを風に乗せることができ、フィルター２５に回収することができる。
【００３３】
また、送風行程にて、内槽４の回転時間を回転翼６の回転時間より長くしたので、回転翼６の回転時間を最低限に抑えることで、回転翼６が乾燥した衣類の表面と摩擦する時間が短くなり、衣類からのほこり、糸くずの発生量を少なくでき、内槽４の回転時間を長くすることで、内槽４の外面および外槽の内面に付着したほこり、糸くずを最大限フィルター２５に回収でき、つぎの洗濯時にほこり、糸くずが衣類に再付着するのを防ぐことができる。
【００３４】
また、このときの内槽４の回転数が適度な回転数（１８０ｒ／ｍｉｎ程度）以上であれば、衣類の冷却速度が大きく落ちることはないので、乾燥時間への影響は少ない。一定間隔で回転翼６を回転させているので、衣類の乾燥むらへの影響も少ない。
【００３５】
また、送風行程で、乾燥用送風機１２の風量を増やしているので、内槽４と外槽３の間に風が発生し、より多くのほこり、糸くずを循環風に乗せることができ、フィルター２５に回収できる。
【００３６】
また、送風行程を内槽４の回転時に終了するようにしたので、内槽４の外面および外槽３の内面に付着したほこり、糸くずを循環風中に乗せてフィルター２５に回収した状態で送風行程を終了することができ、つぎの洗濯時にほこり、糸くずが衣類に再付着するのを防ぐことができる。
【００３７】
【発明の効果】
以上のように本発明の請求項１に記載の発明によれば、筐体内に弾性的に吊支した外槽と、回転中心軸を鉛直方向に有し前記外槽内に回転自在に支持した内槽と、前記内槽の内底部に回転自在に設けた回転翼と、前記内槽または回転翼を駆動する駆動手段と、前記内槽内に循環風を送風する送風手段と、前記送風手段により送風される空気を加熱する加熱手段と、前記送風手段による送風中のほこり、糸くずなどを回収するフィルターと、前記駆動手段、送風手段、加熱手段などの動作を制御し洗い、すすぎ、脱水、乾燥などの一連の行程を制御する制御手段とを備え、前記制御手段は、乾燥行程終了後に前記送風手段を駆動させる送風行程を行い、この送風行程にて、前記内槽を所定時間一定速度で回転させる運転と回転翼の回転を所定時間内にオンオフを繰り返す運転とを交互に繰り返すとともに内槽の回転時間を回転翼の回転時間より長くし、発生したほこり、糸くずなどを前記フィルターで回収するようにしたから、送風行程にて、回転翼の回転時間が短くなって送風行程でのほこり、糸くずなどの発生を少なくできるとともに、内槽の外面および外槽の内面に付着したほこり、糸くずを、送風手段による送風に加えて、内槽の回転により発生した風で循環風中に乗せることができるので、より多くのほこりをフィルターに回収することができ、つぎの洗濯時にほこり、糸くずが衣類に再付着するのを防ぐことができる。
【００３８】
また、回転翼の回転時間を最低限に抑えて内槽の回転時間を長くすることで、内槽の外面および外槽の内面に付着したほこり、糸くずを最大限フィルターに回収でき、つぎの洗濯時にほこり、糸くずが衣類に再付着するのを防ぐことができ、衣類の乾燥むらも抑えることができる。
【図面の簡単な説明】
【図１】  本発明の一実施例の洗濯乾燥機の断面図
【図２】  同洗濯乾燥機のブロック回路図
【図３】  同洗濯乾燥機の要部動作タイムチャート
【図４】  従来の洗濯乾燥機の断面図
【図５】  同洗濯乾燥機の要部動作タイムチャート
【符号の説明】
１    筐体
３    外槽
４    内槽
６    回転翼
８    モータ（駆動手段）
１２  乾燥用送風機（送風手段）
１３  ヒータ（加熱手段）
２５  フィルター
３０  制御手段
【図１】
0004385518.tif 000002
【図２】
0004385518.tif 000003
【図３】
0004385518.tif 000004
【図４】
0004385518.tif 000005
【図５】
0004385518.tif 000006